【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】デジタルイメージングシステムにおいて、
イメージセンサ、
イメージ処理及び圧縮回路、
前記イメージセンサと前記イメージ処理及び圧縮回路との間に結合されており前記イメージセンサからのアナログデータを受取り且つ一時的に格納し且つ前記アナログデータを前記イメージ処理及び圧縮回路へ送信するアナログ／マルチレベルメモリ、
を有しており、前記アナログ／マルチレベルメモリは、複数個の奇数番号の書込パイプラインと複数個の偶数番号の書込パイプラインとを有しており、各書込パイプラインは、
非揮発性メモリセルからなるアレイと、
前記アレイへ結合されている書込回路と、
を有しており、前記アレイ内の選択したメモリセルに対するプログラミング動作が開始されると、前記書込回路は第１電圧を前記選択したメモリセルに印加して前記選択したメモリセルを介して電流を駆動し、奇数番号のパイプライン及び偶数番号のパイプラインが両方共プログラミング動作を実施している場合には、偶数番号のパイプラインにおける選択回路が第２電圧を選択する場合に奇数番号のパイプラインにおける選択回路が第１電圧を選択し、且つ偶数番号のパイプラインにおける選択回路が第１電圧を選択する場合に奇数番号のパイプラインにおける選択回路が第２電圧を選択する、
ことを特徴とするシステム。
【請求項２】請求項１において、前記メモリが５秒を超えて１０Ｍビット／秒より大きなレートで前記データを受取り且つ５０Ｍビットを越える前記データを格納することを特徴とするシステム。
【請求項３】請求項１において、前記アナログデータがイメージデータを有していることを特徴とするシステム。
【請求項４】請求項１において、前記イメージ処理及び圧縮回路がアナログ・デジタル（Ａ／Ｄ）変換器を有していることを特徴とするシステム。
【請求項５】請求項４において、前記イメージ処理及び圧縮回路が、更に、イメージ圧縮器を有していることを特徴とするシステム。
【請求項６】請求項１において、前記イメージ処理及び圧縮回路が前記データを処理するために使用可能である場合に、前記メモリが前記データの一部を送信することを特徴とするシステム。
【請求項７】請求項５において、前記イメージセンサ、イメージ処理及び圧縮回路、及びメモリがデジタルスチルカメラを構成していることを特徴とするシステム。
【請求項８】請求項７において、前記メモリが着脱自在なメモリカード内に収納されていることを特徴とするシステム。
【請求項９】請求項８において、前記Ａ／Ｄ変換器が前記着脱自在なメモリカード内に収納されていることを特徴とするシステム。
【請求項１０】請求項７において、前記イメージ処理及び圧縮回路が前記デジタルスチルカメラのボディ内に収納されていることを特徴とするシステム。
【請求項１１】請求項７において、前記イメージ処理及び圧縮回路が前記デジタルスチルカメラのボディ内に埋設されていないことを特徴とするシステム。
【請求項１２】請求項７において、前記イメージセンサ、イメージ処理及び圧縮回路、及びメモリが前記デジタルスチルカメラのボディ内に収納されていることを特徴とするシステム。
【請求項１３】請求項２において、前記メモリがアナログメモリであることを特徴とするシステム。
【請求項１４】請求項１において、タイミング回路が奇数番号及び偶数番号の書込パイプラインの内の一方においてプログラミングサイクルを開始させると、奇数番号及び偶数番号の書込パイプラインの他方において検証サイクルが開始することを特徴とするシステム。
【請求項１５】請求項１において、前記格納されているアナログデータは外部的にアクセス可能であることを特徴とするシステム。
【請求項１６】請求項１において、前記書込回路は第１電圧を印加して選択したメモリセルを介しての電流を駆動して前記選択したメモリセルのスレッシュホールド電圧を変化させ、且つ前記選択したメモリセルに対する検証サイクル期間中に、前記書込回路は前記選択したメモリセルのスレッシュホールド電圧が前記選択したメモリセル内に書き込む値を表すターゲットレベルに到達したか否かを決定し、且つ本システムが、更に、
供給電圧から第１電圧を発生させ且つプログラミングサイクルに対して第１電圧を供給するために前記書込回路へ結合されているチャージポンプ、
パイプラインにおけるプログラミングサイクルを開始させるために結合されているタイミング回路、
を有しており、該タイミング回路は、偶数番号の書込パイプラインにおいてプログラミングサイクルが開始する場合とは異なる時間において奇数番号の書込パイプラインに対してのプログラミングサイクルを開始させる、ことを特徴とするシステム。
【請求項１７】デジタルイメージングシステムにおいて、
イメージセンサ、
イメージ処理及び圧縮回路、
前記イメージセンサと前記イメージ処理及び圧縮回路との間に結合されており前記イメージセンサからアナログデータを受取り且つ一時的に格納し且つ前記アナログデータを前記イメージ処理及び圧縮回路へ送信するアナログ／マルチレベルメモリ、
を有しており、前記メモリは５秒を超えて１０Ｍビット／秒を越えるレートで前記データを受取り且つ５０Ｍビットを越える前記データを格納し、且つ前記メモリは、
各書込パイプラインが、非揮発性メモリセルからなるアレイと、該アレイへ結合されている書込回路とを有している複数個の書込パイプラインであって、該アレイ内の選択したメモリセルに対してプログラミング動作が開始される場合に、前記書込回路が第１電圧を前記選択したメモリセルへ印加して前記選択したメモリセルを介して電流を駆動させる複数個の書込パイプライン、
前記書込回路によりプログラミング動作を逐次的に開始させるべく結合されているタイミング回路、
供給電圧から第１電圧を発生し且つプログラミング動作のために第１電圧を供給すべく前記書込回路へ結合されているチャージポンプ、
を有しており、該書込パイプラインは、
複数個の奇数番号のパイプライン、
複数個の偶数番号のパイプライン、
を有しており、奇数番号のパイプラインと偶数番号のパイプラインとが両方共プログラミング動作を実施している場合には、偶数番号のパイプラインにおける選択回路が第２電圧を選択すると奇数番号のパイプラインにおける選択回路が第１電圧を選択し、且つ偶数番号のパイプラインにおける選択回路が第１電圧を選択すると奇数番号のパイプラインにおける選択回路が第２電圧を選択する、ことを特徴とするシステム
【請求項１８】デジタルイメージング方法において、
イメージを電気信号へ変換し、
その後に前記電気信号へ変換された前記イメージをアナログデータとして格納し、前記イメージを格納する場合に、
前記イメージデータを各々が非揮発性メモリセルからなるアレイと該アレイへ結合されている書込回路とを有している第１及び第２複数個の書込パイプライン内へ書き込み、その場合に、該アレイ内の選択したメモリセルに対してプログラミング動作が開始されると、前記書込回路が第１電圧を前記選択したメモリセルへ印加して前記選択したメモリセルを介して電流を駆動させ、第１複数個のパイプラインの内の一つと第２複数個のパイプラインの内の一つが両方共プログラミング動作を実施している場合に、第２複数個のパイプラインにおける選択回路が第２電圧を選択する場合に第１複数個のパイプラインにおける選択回路が第１電圧を選択し且つ第２複数個のパイプラインにおける選択回路が第１電圧を選択する場合に第１複数個のパイプラインにおける選択回路が第２電圧を選択し、且つ
その後にデジタル信号処理のために前記格納したアナログデータの内の一部を送信する、
ことを特徴とする方法。
【請求項１９】請求項１８において、更に、前記格納の前に前記電気信号を予備処理することを特徴とする方法。
【請求項２０】請求項１８において、前記アナログデータを５秒を超えて１０Ｍビット／秒を越えるレートで且つ５０Ｍビットを越える量で格納させることを特徴とする方法。
【請求項２１】請求項１８において、前記一部を、前記デジタル信号処理が使用可能である場合にのみ送信させることを特徴とする方法。
【請求項２２】請求項１８において、前記変換及び格納がデジタルスチルカメラ内において実施されることを特徴とする方法。
【請求項２３】請求項１８において、前記格納を行なう場合に、
第１プログラミング動作を開始させて第１メモリアレイ内の第１選択メモリセルをプログラムし、該第１プログラミング動作は該第１選択メモリセルを介して電流を駆動し且つ該第１メモリセルにおけるスレッシュホールド電圧を変化させるためにチャージポンプを接続させることを包含しており、且つ
第２プログラミング動作を開始させて第２メモリアレイ内の第２選択メモリセルをプログラムし、該第２プログラミング動作は該第２選択メモリセルを介して電流を駆動し且つ該第２メモリセルにおけるスレッシュホールド電圧を変化させるためにチャージポンプを接続させることを包含しており、該第２プログラミング動作を開始させることは、第１プログラミング動作を開始させた後であるが第１プログラミング動作が完了する前に発生する、
ことを特徴とする方法。
【請求項２４】請求項１８において、更に、前記送信の前にアナログ形態にある前記格納されているアナログデータへアクセスすることを特徴とする方法。